Podtech/llm-jp-corpus-v4-ja_patent huggingface dataset:
(57)【要約】【課題】カップル指輪を２個一対の内外二重リングで構成するという従来の思考から脱却し、結婚指輪や恋人同士のペアリングとして好適な全く新しいユニークなタイプのカップル指輪を提供する。【解決手段】２個一対のつるまき状ねじりハーフコイルリング１ａ、１ｂで構成され、一方のハーフコイルのつるまきピッチ間に他方のハーフコイルリングを嵌め合わせて１個の筒状リング１となすことにより、完成された表示体となる文字や図形等の表示２ａ、２ｂを各ハーフコイリングの内周側面に表示した。【選択図】　図５
2004065830.tif 000002
【特許請求の範囲】
【請求項１】
つるまき状をなす２個一対のねじりハーフコイルリングで構成され、一方のハーフコイルリングのつるまきピッチに相当するギャップに他方のハーフコイルリングを嵌め合わせて１個の筒状リングとなすことにより、完成された表示体となる文字や図形等の表示を各ハーフコイルリングの側面に表示してなるカップル指輪。
【請求項２】
文字や図形等の表示を各ハーフコイルリングの内周側面に表示してなる請求項１に記載のカップル指輪。
【発明の詳細な説明】
【０００１】
【発明の属する技術分野】
本発明は２個一対よりなるカップル指輪に関する。
【０００２】
【従来の技術とその問題点】
２個一対のリングを組み合わせることにより各リングに表示してある文字や図形が完成されるカップル指輪はあるが、この種の従来のカップル指輪はすべて内側リングとその外周に嵌め合わせる外側リングとよりなる二重リングで構成されており、これといった斬新さを欠き、商品の付加価値が乏しいという難点があった。
【０００３】
本発明は、カップル指輪を２個一対の内外二重リングで構成するという従来の思考から脱却し、結婚指輪や恋人同士のペアリングとして好適な全く新しいユニークなタイプのカップル指輪を提供できるようにした。
【０００４】
【本発明の構成】
本発明に係るカップル指輪は、２個一対のつるまき状ねじりハーフコイルリングで構成され、一方のハーフコイルのつるまきピッチ間に他方のハーフコイルリングを嵌め合わせて１個の筒状リングとなすことにより、完成された表示体となる文字や図形等の表示を各ハーフコイリングの側面に表示したものとしてあり、また、文字や図形等の表示は各ハーフコイルリングの内周側面に表示したものとしてある。
【０００５】
【実施例】
以下、本発明に係る指輪の実施例を添付図面に示す具体例に基づいて説明する。
本発明に係る指輪は、一方のハーフリング１ａと他方のハーフリング１ｂとよりなる。
各ハーフリング１ａ、１ｂはつるまき状をなすねじりコイルリングで構成され、一方のハーフリングのピッチに相当するヘリカルギャップ（各条線間のギャップ）Ｇに他方のハーフリングが嵌まり込めるようにしてある。
【０００６】
しかして各ハーフリング１ａ、１ｂの内周面には文字や図形等の表示２ａ、２ｂを刻印等により表示してあるが、各ハーフリングの表示だけでは表示内容が不明瞭となっており、両ハーフリング１ａ、１ｂを嵌め合わせて１本の筒状リング１とし、ハーフリングの表示を合わせることによりハーフリング内面の表示が完成されて、成句や図形となるようにしてある。
【０００７】
【作用効果】
本発明のカップル指輪は、ハーフリング１ａ、１ｂにそれぞれ印された表示２ａ、２ｂはそれ自体では何を表示しているのか分からないが、両リングを絡め嵌合させて１本の筒状リングとすることによりハーフリングの表示が結合、完成されて成句や絵となるようにしてあり、たとえば二人の誓いの言葉やハートマークなどの完全表示体とすることができる。
また、表示２ａ、２ｂは各リングの内周面に印しておくことにより、秘めたる誓いの言葉等として大切にしておける。
【０００８】
このように本発明のカップル指輪は２個一対のハーフリングを絡ませてハーフリングの表示を完成できるものであり、従来の内外二重リングで構成するものと発想を全く異にし、新規にしてユニークなタイプの創作品として付加価値、商品価値が向上され、結婚指輪や恋人同士のペアリングとして好適である。
【図面の簡単な説明】
【図１】本発明に係る指輪の一方のハーフリングの斜視図。
【図２】本発明に係る指輪の一方のハーフリングの縦断面図。
【図３】本発明に係る指輪の他方のハーフリングの斜視図。
【図４】本発明に係る指輪の他方のハーフリングの縦断面図。
【図５】２個のハーフリングを嵌め合せて筒状リングとした状態の縦断面図。
【符号の説明】
１　筒状リング
１ａ、１ｂ　ハーフリング
２ａ、２ｂ　ハーフリング内周面の表示
Ｇ　ギャップ
【図１】
2004065830.tif 000003
【図２】
2004065830.tif 000004
【図３】
2004065830.tif 000005
【図４】
2004065830.tif 000006
【図５】
2004065830.tif 000007
(57)【要約】【課題】一台の遊戯具で前後の揺り動きと水平移動の遊戯をそれぞれ行うことができる乗物遊戯具を提供すること。【解決手段】頭部（１０）、着座部（２０）、脚部（３０）とで形成されている木製の遊戯具（１）であって、前記脚部（３０）に、湾曲状の脚体（４０）、またはローラ（５０）を着脱自在に装着させた。【選択図】　　図１
2004065897.tif 000002
【特許請求の範囲】
【請求項１】
頭部、着座部、脚部とで形成されている木製の遊戯具であって、前記脚部に、湾曲状の脚体、またはローラを着脱自在に装着させたことを特徴とする乗物遊戯具。
【請求項２】
前記頭部を、着座部に着脱自在に装着させた請求項１記載の乗物遊戯具。
【発明の詳細な説明】
【０００１】
【発明の属する技術分野】
本発明は、木製の遊戯具において、特に、一台の遊戯具で揺り動きと水平移動を行うことができる乗物遊戯具に関する。
【０００２】
【従来の技術】
従来より、動物やキャラクターを形状化させた乗物用の遊戯具においては、本体下部に複数のローラーを装着させ、遊戯者が足で地面を蹴ることにより、前後に水平移動させる遊戯具がある。
【０００３】
また、遊戯具本体下部に湾曲状の脚体を装着させ、遊戯者が自ら前後に体重移動させることにより、ロッキングチェアーのように揺動させて遊ぶ遊戯具も開発されている。
【０００４】
【発明が解決しようとする課題】
しかし、本体下部にローラーを装着させた遊戯具においては、前後の水平移動の遊戯のみに限定され、また、本体下部に湾曲状の脚体を装着させた遊戯具は、身体を前後に揺り動かす動作だけが可能であり、遊戯者（幼児等）にとっては長時間遊ぶことに飽きを感じてしまう。
【０００５】
また、前後の水平移動と揺動動作を実現させるには、それぞれの機能を有する遊戯具を別々に揃えなければならず、遊戯具自体の購入費用が嵩むと共に、広い遊戯場所を確保する必要もあった。
【０００６】
そこで本発明は上記の点に鑑み、一台の遊戯具で前後の揺り動きと水平移動の遊戯をそれぞれ行うことができる乗物遊戯具に関する。
【０００７】
【課題を解決するための手段】
上記課題を解決するために、頭部、着座部、脚部とで形成されている乗物遊戯具であって、前記脚部に、湾曲状の脚体、またはローラを着脱自在に装着させた。そのため、遊戯具の脚部に湾曲状の脚体を装着させた場合、遊戯者が前後に体重移動させることにより、ロッキングチェアーのように揺動させて遊ぶことができる。また、遊戯具の脚部にローラーを装着させた場合、前後の水平移動の遊戯が可能となる。
【０００８】
また、前記頭部を着座部に着脱自在に装着させることにより、さまざまな動物やキャラクターの乗物用の遊戯具を形成させることができ、嗜好面における選択範囲が広がる。
【０００９】
【発明の実施の形態】
次に、本発明の乗物遊戯具を図面に基づいて説明する。なお、図１の（ａ）は脚部に湾曲状の脚体を装着させた遊戯具の全体斜視図、（ｂ）は前記遊戯具の脚体の装着状態、図２の（ａ）は前記遊戯具の側面図、（ｂ）は前記遊戯具の平面図、図３の（ａ）は脚部にローラーを装着させた遊戯具の全体斜視図、（ｂ）は前記遊戯具のローラーの装着状態、図４は頭部の装着状態をそれぞれ表す。
【００１０】
図示する遊戯具１は、遊戯者（幼児等）が着座した状態で、自らの体重移動や足で地面を蹴って遊ぶ乗物用の遊戯具である。前記遊戯具１は、平板状の木製の素材からなり、頭部１０、着座部２０、脚部３０とで形成されている。
【００１１】
頭部１０は、馬の頭部を形状化させて形成されており、下部は前記着座部２０に装着されている。また頭部１０の上部には、操作用の握部１１が装着されている。なお、前記頭部１０は、図示する馬の頭部を形状化させたものに限定されず、さまざまな動物やキャラクター等を形状化させたものであってもよい。
【００１２】
着座部２０は、略中央部に足を配置させる欠切部２１が形成されており、上部前方には前記頭部１０が、また上部後方には、背凭れ２２と形状化された尻尾２３が設置されている。また、着座部２０の四角の下部には脚部３０が装着されている。
【００１３】
また、図１及び図２に示すように、前記脚部３０の下部には、一対の湾曲状の脚体４０が装着されている。前記脚体４０は、例えばロッキングチェアーの脚部と同様の働きを有する形状を呈しており、遊戯者が体重を前後動させることにより、繰り返し揺動の動作を行うことができる。
【００１４】
また前記脚体４０は、枢軸２を介在させて脚部３０の外側に装着され、木ネジ３とビス４にて固定されている。そのため、図１の（ｂ）に示すように、木ネジ３とビス４を締め付けまたは取り外すことにより、脚体４０を脚部３０に着脱自在に装着させることができる。また、前記脚体４０間には、平板状の足載台５が跨設されている。
【００１５】
また、図３の（ａ）（ｂ）に示すように、前記脚部３０の下部にローラ５０を装着させることもできる。前記ローラー５０は、枢軸２を介在させて脚部３０の外側に装着され、木ネジ３とビス４にて固定されている。そのため、図３の（ｂ）に示すように、木ネジ３とビス４を締め付けまたは取り外すことにより、ローラー５０を脚部３０に着脱自在に装着させることができる。
【００１６】
また、他の好適例として、図４に示すように、前記頭部１０を着座部２０に着脱自在に装着させることが好ましい。前記頭部１０の下部に、ネジ孔１３を有する凸片１２を形成し、着座部２０の開口２４に挿入させ、下方より連結具１４を装着させてボルト１５にて固定することにより、頭部１０は着座部２０に着脱自在に設置することができる。そのため、頭部１０の形状をさまざまな動物やキャラクターに形状化させることで、遊戯者の選択範囲が広がり、嗜好面での優れた効果が得られる。
【００１７】
【発明の効果】
以上説明してきたように、本発明の乗物遊戯具は、上述により以下に示す効果を奏するものである。
【００１８】
頭部、着座部、脚部とで形成されている乗物遊戯具であって、前記脚部に、湾曲状の脚体、またはローラを着脱自在に装着させたことにより、一台の遊戯具でロッキングチェアーのように揺動させて遊ぶことや、前後の水平移動の遊戯が可能となる。
【００１９】
また、前記頭部を着座部に着脱自在に装着させることにより、さまざまな動物やキャラクターの乗物用の遊戯具を形成させることができ、嗜好面における選択範囲が広がる。
【図面の簡単な説明】
【図１】（ａ）（ｂ）は脚部に湾曲状の脚体を装着させた遊戯具の全体斜視図を表す。
【図２】（ａ）は前記遊戯具の側面図、（ｂ）は前記遊戯具の平面図を表す。
【図３】（ａ）（ｂ）は脚部にローラーを装着させた遊戯具の全体斜視図を表す。
【図４】頭部の装着状態を表す。
【符号の説明】
１・・・遊戯具
２・・・枢軸
３・・・木ネジ
４・・・ビス
５・・・足載台
１０・・頭部
１１・・握部
１２・・凸片
１３・・ネジ孔
１４・・連結具
１５・・ボルト
２０・・着座部
２１・・欠切部
２２・・背凭れ
２３・・尻尾
２４・・開口
３０・・脚部
４０・・脚体
５０・・ローラー
【図１】
2004065897.tif 000003
【図２】
2004065897.tif 000004
【図３】
2004065897.tif 000005
【図４】
2004065897.tif 000006
(57)【要約】【課題】従来の顔面用透明防護具は、お碗型又は単純な曲面で形成されていて顔面から浮き出た部分が透明体といえども、視界や行動の邪魔になり距離感にも違和感があった。くもりも発生しやすい欠点があった。【解決手段】顔面の凹凸にあわせた形状に加工した透明防護体を提供する。【選択図】　図３
2004065898.tif 000002
【特許請求の範囲】
【請求項１】
顔面の凹凸にあわせた形状を特徴とする透明防護体。
【請求項２】
顔面の凹凸にあわせた形状を特徴とする透明防護体で顔面の一部又は全部を保護する保護具。
【請求項３】
顔面の凹凸にあわせた形状を特徴とする透明防護体で顔面の一部又は全部を保護する保護具で他の頭首部の防護体と一体にできる保護具。
【発明の詳細な説明】
【０００１】
【発明の属する技術分野】
本発明は、空手、ボクシング、剣道、野球、フェンシング、アイスホッケースキー、野球等のスポーツ用の面やゴーグル、マスク、プロテクター、また、軽作業、工業用のヘルメット、防塵具、ゴーグル等に係るスポーツ用、工業用等の顔面、頭首部保護具に関する。
【０００２】
【従来の技術】
従来の顔面用透明防護体は、お碗型又は単純な曲面等で形成されている。
【０００３】
【発明が解決しようとする課題】
従来の顔面用透明防護体は、お碗型又は単純な曲面で形成されていて、顔面から浮き出た部分が透明体といえども、視界や行動の邪魔になった。また、空手、ボクシング等顔面に攻撃を行なうスポーツ、武道で重要な競技相手との距離感、間合い、臨場感においても、従来の単純な形状では、不十分であった。更に、顔面と透明防護体の隙間が大きく、くもりも発生しやすい欠点があった。
【発明が解決するための手段】
本発明は、顔面の凹凸にあわせた形状に加工した透明防護体を提供することにより上記課題を解決したものである。
【０００４】
【実施例】
具体例として、アクリル樹脂、ナイロン樹脂、ポリエステル樹脂等硬質の透明樹脂、硬質ガラス等を図１に示されるように顔面の凹凸にあわせ加工形成されている。
【０００５】
ナイロン、ポリエステル、ポリブロビレン等の耐溶剤性に優れた硬質透明樹脂や硬質ガラス等を図４に示されるように、顔面の一部を顔面の凹凸にあわせ加工形成されている。
【０００６】
耐衝撃、耐磨耗、抗菌、紫外線除去、耐熱等の処理を行なった透明樹脂等や、硬質ガラス等を図１、図２、図３、図４に示されるように顔面の一部又は全部を顔面の凹凸にあわせ加工形成されている。
【０００７】
防眩、防反射、耐溶剤、耐衝撃、耐磨耗、抗菌、紫外線除去、耐熱等の処理を施した透明樹脂等や硬質ガラス等を顔面の全部又は一部を顔面の凹凸にあわせ加工形成したものを図３、図４に示されるように、ボクシング、ラクビー等に使用されるヘッドギアーや、剣道、空手、拳法等に使用される面、そのほか頭首部の防護具や工業、軽作業等の防塵、防護具に取り付ける又は、着脱できる処理をベルト、ビス、ボルト、ヘッドバンド等で施工する。
【０００８】
【発明の効果】
本発明によって、距離感、競技相手との間合い等が著しく確保しやすくなり、身体も動かしやすくなる。また、くもりも発生しなくなる。このように、作業や運動の安全性と機能性が著しく高められる。
【０００９】
【図面の簡単な説明】
【図１】本発明に係る顔面の凹凸にあわせた形状を特徴とする透明防護体の断面図である。
【図２】本発明の使用状態を示す外観図
【図３】本発明をほかの頭首部の防護具と使用した状態を示す外観図。
【図４】本発明をヘッドギアに使用した状態を示す外観図。
【符号の説明】
１・・・本発明の本体
２・・・取り付け身体モデル
３・・・本発明の本体
４・・・長さ調整ベルト
５・・・長さ調整ベルト
６・・・ヘッドギア
７・・・本発明の本体
８・・・本発明の本体
９・・・頭部保護クッション材
１０・・・滑り止め、衝撃緩和クッション材
【図１】
2004065898.tif 000003
【図２】
2004065898.tif 000004
【図３】
2004065898.tif 000005
【図４】
2004065898.tif 000006
(57)【要約】【課題】洗濯ばさみ等の絡み合いをなくすることと、洗濯物の保持力を向上させた洗濯ばさみを提供すること。【解決手段】中間部に開口部を有する第１の本体と、この開口部に貫通された第２の本体とを具備し、これらの第１、第２の本体のそれぞれの上端部の摘み部に半弧状のスプリングを設けるように構成したもの。【選択図】　　　図１
2004065756.tif 000002
【特許請求の範囲】
【請求項１】
中間部に開口部を有する第１の本体と、この開口部に貫通された第２の本体とを具備し、これらの第１、第２の本体のそれぞれの上端部の摘み部に半弧状のスプリングを設けた洗濯ばさみ。
【請求項２】
請求項１記載の洗濯ばさみにおいて、前記スプリングは開こうとする力の初期の強い挟持力を洗濯物の保持力として利用するように構成したものである洗濯ばさみ。
【発明の詳細な説明】
【０００１】
【発明の属する技術分野】
本発明は洗濯ばさみに関する。
【０００２】
【従来の技術】
従来の洗濯ばさみは、つまみの部分が開いているものが一般的であった。又、洗濯物を挟持する為のスプリングの作用力が終期の為に非常に弱かった。
【０００３】
【発明が解決しようとする課題】
従来の洗濯ばさみは、つまみの部分が開いているために他の洗濯ばさみ等と絡み合い、取り扱いが不便である。又、洗濯ばさみの、スプリングの利用の仕方においては、バネ力が最も弱くなる終期の部分で挟むようになっていたので洗濯物を保持するための挟持力が不十分で、洗濯物を確実に保持できないという課題を有していた。
【０００４】
本発明はこの課題に着目し、洗濯ばさみ等の絡み合いをなくすることと、洗濯物の保持力を向上させた洗濯ばさみを提供することを目的とするものである。
【０００５】
【課題を解決するための手段】
上記目的を達成するために、本発明は、中間部に開口部を有する第１の本体と、この開口部に貫通された第２の本体とを具備し、これらの第１、第２の本体のそれぞれの上端部の摘み部に半弧状のスプリングを設けるように構成したものである。
【０００６】
【発明の実施の形態】
図２において、Ａ及びＢは本体である。本体Ａにはその中間部に後述する本体Ｂを挿入すべき開口部Ａ１を有している。なお、本体Ｂは、この開口部Ａ１に挿入可能な厚さで構成されている。材質はプラスチック、木、金属等を用いる。次に本体Ｂを本体Ａの開口部Ａ１にＧの様に通し図３の様に組み立てる。
【０００７】
図３において、本体Ａ、本体Ｂの上部Ｈに、図４のスプリングＣの筒部Ｃ１を被嵌し、その後筒部Ｃ１の端部に設けた突起Ｅを本体に打ち込み、スプリングＣを図１の様に本体Ａ・本体Ｂに固定する。
このスプリングＣは半弧状に構成されているので、それぞれの本体の上部の摘み部間を覆うように構成される。
すなわち、摘み部間の空間がなくなることから、他の洗濯ばさみ等と絡み合うことが防止される。
【０００８】
図５においてＩの様に図４のスプリングＣの上部の穴Ｆにつり下げ紐Ｄをつける。
【０００９】
【発明の効果】
以上述べたように本発明は、洗濯ばさみ等の絡み合いがなくなり、さらに、洗濯物の保持力を向上させた洗濯ばさみを提供することができたものである。
【図面の簡単な説明】
【図１】全体を示す斜視図。
【図２】分解された本体Ａ、Ｂを示す斜視図。
【図３】本体ＡとＢが組み立てられた斜視図。
【図４】スプリングの斜視図。
【図５】スプリングにつり下げ紐を設けた斜視図。
【符号の説明】
Ａ：本体
Ａ１：開口部
Ｂ：本体
Ｃ：スプリング
Ｃ１：筒部
Ｄ：つり下げ紐
Ｅ：突起
Ｆ：つり下げ紐の通し穴
Ｇ：本体Ｂを本体Ａに挿入する方向を示す矢印
Ｈ：スプリングＣの取付方向を示す矢印
Ｉ：つり下げ紐の通す方向を示す矢印
【図１】
2004065756.tif 000003
【図２】
2004065756.tif 000004
【図３】
2004065756.tif 000005
【図４】
2004065756.tif 000006
【図５】
2004065756.tif 000007
(57)【要約】　　　（修正有）【課題】左右の素足を指定位置に置き、オープナー（プレート）を足の指と指の間に挟むだけで、足の指と指の間隔を広げたり狭めたりする健康器具を提供する。【解決手段】素足の両足を２のベースに置き９．１０．１１．１２．１３のオープナーを夫々の指の間に挿入する。４のモーターが回転すると、このモーター軸に取り付けた５のカムが回転する。カムは楕円形状であるためカムの外周に密着している６のカムレバー二本が左右対象に動く。この動きが１４のオプンスプリングを引っ張り、７のリンクでつながった８のスイングアームをスイング運動に変換させ、８のスイングアームの先端に取り付けた９．１０．１１．１２．１３のオープナ−の間隔を広げたり狭めたりすることで、足の指と指の間隔を開閉する構造である。【選択図】　　　　　図１
2004065444.tif 000002
【特許請求の範囲】
【請求項１】
モーターでカムを回転させ、そのカムの変位差を利用して足の指と指の間に挿入したプレートを、開けたり閉じたりして足の指を動かす健康機器。
【発明の詳細な説明】
【０００１】
本発明は、モーターでカムを回転させ、そのカムの変位差をカムレバーで連結板に伝えスイングアームを開閉させる。このスイングアームの先端に足の指と指の間に挟み込む様に装着したオープナー（薄いプレート）が、足の指の間を自動的に開けたり閉じたりする健康機器である。
【０００２】
出願する発明は、現代社会の多くの人が靴やサンダルを履いて生活し、移動する時は自動車や電車・バス等の乗物を利用する事が多い。この様な日常生活を繰り返す人の中で運動不足を感じる人は少なくない。その要因として考えられるのは歩く時間が極端に少なく成った事があげられる。
歩く動作は人間が健康な身体を維持する上で、最低限必要とされる運動量でもある。特に、歩く事の必要性を指摘されている理由は、脚は第２の心臓と考えられ歩く事で脚の血行が良くなり、あらゆる傷病の予防効果が確認されているからである。しかし現代社会で生活する人たちは、歩く事の必要性を認識しながらも実行出来ない場合が多い。この様な人達の為に足を置くだけで自動的に足の指を動かす事が出来、脚の血行を増進させると共に、足の指の間を広げたり狭めたりする事で足の指が動かし難い人達の機能回復を図る効果も期待出来る健康機器である。
【０００３】
従来、脚の血行を増進させる健康機器や運動器具は、足の裏やふくらはぎにローラー状やボール状の物を当て、これらを移動させる機構であり足の指を動かしたり、足の指の間を広げたり狭めたりする機能は無い。本発明は、直接足の指を一本一本動かす機構で有る為、脚の血行を増進するのは無論の事、脚の運動と同時に足の指が動かせない人の機能回復にも効果が期待出来る優れた健康機器で、従来から使われている健康機器とは全く異なった機器で有る。
【０００４】
近代社会で生活する人間は、足の指を一本一本自分の意志で動かす事が出来なく成って来ている。社会生活する上で子供から大人まで足の指を動かす必要性が少なく成り、退化が始まっていると思われる。足の指を動かす事が人間の身体の健康維持に非常に良い事は、医学的にも証明されている。しかし人間が足の指を動かす事が出来るのは、歩くか、走る動作をした時だけで有り、この動作で足の指が動く方向は上方向にだけに動く。靴を履いて歩いたり走ったりしても足の指が開く運動量は少ない。足の指を開ける為には殆どの現代人は手を使って開けるしか方法が無い。仮に手を使っても足の指を一本一本開ける事は非常に面倒で有り不潔で衛生上も好ましくない。本発明は、この様な問題点を解決する為何処へでも持運べる軽量構造にし、誰でも両足を素足になって機器に乗せるだけで、自動的に足の指と指の間が開いたり閉じたりの運動を繰り返す便利な健康機器である。又、老若男女が使用出来るよう足のサイズが大きい人でも、小さい人でも使える機構に成っている。
【０００５】
【実施例】
図１は、本発明の全体を表した正面図あるが構造説明の為、２のベースを透視している図面とした。使用者が図３の様に素足の両足を２のベースに置き９〜１３のオープナーを夫々の指の間に挿入する。４のモーターが回転するとこのモーター軸に取り付けた５のカムが回転する。カムは楕円形状で有るためカムの外周に密着している６のカムレバー二本が左右対象に動く。この動きが１４のオープンスプリングを引っ張り、７のリンクでつながった８のスイングアームをスイング運動に変換させ、８のスイングアームの先端に取り付けた９〜１３のオープナーの間隔を広げたり狭めたりすることで、足の指と指の間隔を開閉する構造である。
【０００６】
本発明の構造で動力はモーターを使用し、足の指と指の間隔を開閉する繰り返し運動を行なう構造で有り、使用者の目的によって開閉速度は可変することも出来る。しかし足の指と指の間隔を開閉する力は広げる時は、１４のコイルバネの収縮力を利用し、又、狭める時は１５のコイルバネの収縮力を利用した構造になっている。図４は、足の指と指の間隔が広がった状態を表した図である。
【図面の簡単な説明】
【図１】本発明の全体を表した正面図で２のベースを透視している図である。
【図２】本発明の全体を表した側面図である。
【図３】２のベースの上に素足の両足を置いた状態の図と　足の指と指の間隔が広がった状態を表した図である。
【符号の説明】
2004065444.tif 000003
【図１】
2004065444.tif 000004
【図２】
2004065444.tif 000005
【図３】
2004065444.tif 000006
(57)【要約】【課題】防護囲壁内での危険な物質による火災が未然に防止できると共に例えその後防護囲壁内で火災になっても普通火災となって容易に消火できる，即ち有効な防災設備が得られる物質供給装置の防災設備を得る。【解決手段】防護囲壁６内の物質貯蔵タンク１から自然発火性や禁水性の物質を半導体製造装置２等に供給するための物質供給装置の防護囲壁６内で、前記物質の漏れを検出すると、前記物質の供給路３を遮断した後、中和剤を放射して前記漏れた物質を中和し、要すればその後防護囲壁６内において普通火災として消火剤を放射するようにしてなる。【選択図】　　　　図１
2004065490.tif 000002
【特許請求の範囲】
【請求項１】
防護囲壁内の物質貯蔵タンクから自然発火性や禁水性の物質を半導体製造装置等に供給するための物質供給装置の前記防護囲壁内で、前記物質の漏れを検出すると、前記物質の供給路を遮断した後、中和剤を放射して前記漏れた物質を中和し、要すればその後前記防護囲壁内において普通火災として消火剤を放射するようにしたことを特徴とする物質供給装置の防災設備。
【発明の詳細な説明】
【０００１】
【発明の属する技術分野】
この発明は、自然発火性物質及び禁水性物質，中でもシラン系物質を半導体製造装置等に供給するための物質供給装置の防災設備に関するものである。
【０００２】
【従来の技術】
従来のこの種の物質供給装置の防災設備を図２について説明する。図２は設備全体を示す概略図である。
【０００３】
図２において、１はシラン系物質を貯蔵する物質貯蔵タンク、２は半導体製造装置、３は物質貯蔵タンク１と半導体製造装置２とを結ぶ配管、４は配管３に設けたポンプ、５は配管３に配設した電磁バルブ、６は物質貯蔵タンク１，配管３，ポンプ４，電磁バルブ５などを囲む防護囲壁で、これにより危険なシラン系物質の貯蔵部分を隔離して安全な物質供給装置を構成している。さらに、７は消火剤を放射する消火設備で、火災感知センサー７ａ，消火剤貯蔵タンク７ｂ，放出ヘッド７ｃ，制御盤７ｄなどからなっている。
【０００４】
【発明が解決しようとする課題】
従来、この種の物質供給装置の防災設備としては、前記したように消火設備７が付いているのであるが、このように消火設備７が付いていてもシラン系物質を原因とする防護囲壁６内の火災に対しては、かかる消火設備７の放出ヘッド７ｃから放射する効果的な消火剤がないので、実際には消火設備７で消火できずに防護囲壁６内での電磁バルブ５の操作等によりシラン系物質の漏洩を遮断して火が完全に消えるまであの手この手で物質貯蔵タンク１を守りながら待つというのが現状で、未だに有効な消火方法，即ち有効な防災設備が存在していない。
【０００５】
【課題を解決するための手段】
この発明に係る物質供給装置の防災設備はかかる点に鑑みてなされたもので、防護囲壁内で物質の漏れを検出すると、この物質の供給路を遮断した後、中和剤を放射して漏れた物質を中和することにより、防護囲壁内での危険な物質による火災が未然に防止できると共に例えその後防護囲壁内で火災になっても普通火災となって容易に消火できる，即ち有効な防災設備が得られる。
【０００６】
【発明の実施の形態】
この発明の一実施の形態を図１について説明する。図１は設備全体を示す概略図で、図中前記した従来のものと同一または相当部分には同一符号を付して説明を省略する。
【０００７】
図１において、８はガス検知器、９は中和剤貯蔵タンク、１０は中和剤放出ヘッドで、ガス検知器８から制御盤７ｄにガス漏れ信号が入って制御盤７ｄがバルブ１１を開くと，これより中和剤貯蔵タンク９内の中和剤が防護囲壁６内に放出される。
【０００８】
今、防護囲壁６内でシラン系物質が漏れて，空気より軽いシラン系物質が上昇すると、ガス検知器８がこれを感知して制御盤７ｄにガス漏れ信号を送る。制御盤７ｄではガス漏れを確認すると、各電磁バルブ５を閉じて配管３を遮断した後，バルブ１１を開いて中和剤放出ヘッド１０から中和剤を防護囲壁６内に放出する。放出された中和剤により防護囲壁６内の漏洩シラン系物質は中和され，危険な自然発火性質及び禁水性質が消失する。
【０００９】
このように防護囲壁６内に漏れたシラン系物質は放出される中和剤により中和されるので、防護囲壁６内の漏洩シラン系物質による火災の危険性がなくなると共に配管３からの新たなシラン系物質の漏洩の心配もない。しかしながら、その後において、防護囲壁６内で火災になることがあっても、これは危険な物質による火災ではなく普通火災となるので消火装置７により十分に対応できる。
【００１０】
【発明の効果】
以上のように、この発明によれば防護囲壁内で物質の漏れを検出すると、この物質の供給路を遮断した後、中和剤を放射して漏れた物質を中和するので、防護囲壁内での危険な物質による火災が未然に防止できると共に例えその後防護囲壁内で火災になっても普通火災となって容易に消火できる，即ち有効な防災設備が得られるという効果を奏する。
【図面の簡単な説明】
【図１】この発明の一実施の形態を示す設備全体の概略図である。
【図２】従来の設備全体を示す概略図である。
【符号の説明】
１　　物質貯蔵タンク
２　　半導体製造装置
３　　配管
４　　ポンプ
５　　電磁バルブ
６　　防護囲壁
７　　消火設備
７ａ　火災感知センサー
７ｂ　消火剤貯蔵タンク
７ｃ　放出ヘッド
７ｄ　制御盤
８　　ガス検知器
９　　中和剤貯蔵タンク
１０　中和剤放出ヘッド
【図１】
2004065490.tif 000003
【図２】
2004065490.tif 000004
(57)【要約】【課題】防護囲壁内で物質の漏れを検出して供給路を遮断し、漏れた物質を防護囲壁内から強制排出して触媒処理することにより、防護囲壁内での危険な物質による火災が未然に防止できる，即ち有効な防災設備が得られる物質供給装置の防災設備を得る。【解決手段】防護囲壁６内の物質貯蔵タンク１から自然発火性や禁水性の物質を半導体製造装置２等に供給するための物質供給装置の防護囲壁６内で、前記物質の漏れを検出すると、前記物質の供給路３を遮断した後、前記漏れた物質を防護囲壁６内から強制排出して触媒処理するようにしてなる。【選択図】　　　　図１
2004065492.tif 000002
【特許請求の範囲】
【請求項１】
防護囲壁内の物質貯蔵タンクから自然発火性や禁水性の物質を半導体製造装置等に供給するための物質供給装置の前記防護囲壁内で、前記物質の漏れを検出すると、前記物質の供給路を遮断した後、前記漏れた物質を前記防護囲壁内から強制排出して触媒処理するようにしたことを特徴とする物質供給装置の防災設備。
【発明の詳細な説明】
【０００１】
【発明の属する技術分野】
この発明は、自然発火性物質及び禁水性物質，中でもシラン系物質を半導体製造装置等に供給するための物質供給装置の防災設備に関するものである。
【０００２】
【従来の技術】
従来のこの種の物質供給装置の防災設備を図２について説明する。図２は設備全体を示す概略図である。
【０００３】
図２において、１はシラン系物質を貯蔵する物質貯蔵タンク、２は半導体製造装置、３は物質貯蔵タンク１と半導体製造装置２とを結ぶ配管、４は配管３に設けたポンプ、５は配管３に配設した電磁バルブ、６は物質貯蔵タンク１，配管３，ポンプ４，電磁バルブ５などを囲む防護囲壁で、これにより危険なシラン系物質の貯蔵部分を隔離して安全な物質供給装置を構成している。さらに、７は消火剤を放射する消火設備で、火災感知センサー７ａ，消火剤貯蔵タンク７ｂ，放出ヘッド７ｃ，制御盤７ｄなどからなっている。
【０００４】
【発明が解決しようとする課題】
従来、この種の物質供給装置の防災設備としては、前記したように消火設備７が付いているのであるが、このように消火設備７が付いていてもシラン系物質を原因とする防護囲壁６内の火災に対しては、かかる消火設備７の放出ヘッド７ｃから放射する効果的な消火剤がないので、実際には消火設備７で消火できずに防護囲壁６内での電磁バルブ５の操作等によりシラン系物質の漏洩を遮断して火が完全に消えるまであの手この手で物質貯蔵タンク１を守りながら待つというのが現状で、未だに有効な消火方法，即ち有効な防災設備が存在していない。
【０００５】
【課題を解決するための手段】
この発明に係る物質供給装置の防災設備はかかる点に鑑みてなされたもので、防護囲壁内で物質の漏れを検出すると、この物質の供給路を遮断した後、漏れた物質を防護囲壁内から強制排出して触媒処理することにより、防護囲壁内での危険な物質による火災が未然に防止できる，即ち有効な防災設備が得られる。
【０００６】
【発明の実施の形態】
この発明の一実施の形態を図１について説明する。図１は設備全体を示す概略図で、図中前記した従来のものと同一または相当部分には同一符号を付して説明を省略する。
【０００７】
図１において、８はガス検知器、９はブロワー、１０は触媒処理装置、１１は制御盤で、ガス検知器８からガス漏れ信号が入ると触媒処理装置１０を駆動してブロワー９から防護囲壁６内のシラン系物質を強制排出して燃焼させる。
【０００８】
今、防護囲壁６内でシラン系物質が漏れて，空気より軽いシラン系物質が上昇すると、ガス検知器８がこれを感知して制御盤１１にガス漏れ信号を送る。制御盤１１ではガス漏れを確認すると、各電磁バルブ５を閉じて配管３を遮断した後，触媒処理装置１０を駆動する。触媒処理装置１０の駆動により防護囲壁６内の漏洩シラン系物質がブロワー９により強制排出され，触媒処理装置１０内で燃焼されて触媒処理される。
【０００９】
このように防護囲壁６内に漏れたシラン系物質はブロワー９により強制排出されて触媒処理装置１０により触媒処理されるので、防護囲壁６内の漏洩シラン系物質による火災の危険性がなくなると共に配管３からの新たなシラン系物質の漏洩の心配もない。
【００１０】
【発明の効果】
以上のように、この発明によれば防護囲壁内で物質の漏れを検出すると、この物質の供給路を遮断した後、漏れた物質を防護囲壁内から強制排出して触媒処理するので、防護囲壁内での危険な物質による火災が未然に防止できる，即ち有効な防災設備が得られるという効果を奏する。
【図面の簡単な説明】
【図１】この発明の一実施の形態を示す設備全体の概略図である。
【図２】従来の設備全体を示す概略図である。
【符号の説明】
１　　物質貯蔵タンク
２　　半導体製造装置
３　　配管
４　　ポンプ
５　　電磁バルブ
６　　防護囲壁
８　　ガス検知器
９　　ブロワー
１０　触媒処理装置
１１　制御盤
【図１】
2004065492.tif 000003
【図２】
2004065492.tif 000004
(57)【要約】【課題】本発明は、穀物、特に袋入りの米を貯蔵するための保管庫に関するものである。従来の保管庫の内壁には発泡スチロール等の断熱材が設置され、保管庫内部の結露や湿気の侵入を防止し、貯蔵穀物のカビや湿気による変質を抑制して、貯蔵穀物に適した湿度を維持するようにしている。また、害虫や野鼠の侵入を防止するために気密性を高め過ぎると、昼夜の外気温の寒暖差で起こり易い結露を防止することができない欠点があった。そこで、本発明は、保管庫内の温度管理を確実に行う装置を具備した穀物保管庫を提供することを目的とするものである。【解決手段】本発明は、開閉扉板５，５，６，６を有する保管庫４の上側部８に設けた排気口９の内側に換気ファンを設置し、この換気ファンに隣接してサーモスタット及びスイッチを設け、庫内温度が１５℃以上に達すると換気ファンを始動せしめるように成るものである。【選択図】　　図２
2004065061.tif 000002
【特許請求の範囲】
【請求項１】
開閉扉板を有する保管庫の上側部に設けた排気口の内側に換気ファンを設置し、この換気ファンに隣接してサーモスタット及びスイッチを設け、庫内温度が１５℃以上に達すると換気ファンを始動せしめるように成ることを特徴とする穀物保管庫。
【請求項２】
開閉扉板を有する保管庫の上側部に設けた排気口の内側に換気ファンを設置し、この換気ファンに隣接してサーモスタット及びスイッチを設け、庫内温度が１５℃以上に達すると換気ファンを始動せしめるようにし、外気の寒暖温度差に依って起こる庫内の湿気発生を、庫内の空気と外気との循環により抑制することを特徴とする穀物保管庫。
【発明の詳細な説明】
【０００１】
【発明の属する技術分野】
本発明は、穀物、特に袋入りの米を貯蔵するための穀物保管庫に関するものである。
【０００２】
【従来の技術】
従来から、紙袋入りの玄米を長期間保管する保管庫は知られているが、この保管庫の内壁には発泡スチロール等の断熱材が設置され、保管庫内部の結露や湿気の侵入を防止し、貯蔵されている穀物のカビや湿気による変質を抑制して、貯蔵された穀物に適した湿度を維持するようにしている。
【０００３】
また、害虫や野鼠の侵入を防止するためには保管庫の気密性を高める必要があるが、気密性を高め過ぎると、昼夜の外気温の寒暖差で起こり易い結露を防止することができない欠点があった。
【０００４】
また、従来、特開２００１−３１４１２１のごとき発明が公開されているが、これは専ら湿度管理の技術であり、温度管理の技術ではなかった。
【０００５】
【発明が解決しようとする課題】
そこで、本発明は、保管庫内の温度管理を確実に行う装置を具備した穀物保管庫を提供することを目的とするものである。
【０００６】
【課題を解決するための手段】
本発明は、開閉扉板を有する保管庫の上側部に設けた排気口の内側に換気ファンを設置し、この換気ファンに隣接してサーモスタット及びスイッチを設け、庫内温度が１５℃以上に達すると、換気ファンを始動せしめるように成る。
【０００７】
ここに、１５℃とあるは、政府米の保管時の基準温度であるが、サーモスタットの作動設定の温度範囲をこの前後の温度に変えても均等の効果をあげることができる。
【発明の実施の形態】
【０００８】
保管庫内部のサーモスタットは、内部温度から１５℃になった時にスイッチが入り換気ファンを始動し、１５℃を下廻った時にスイッチが切れて停止するようになる。
【実施例】
【０００９】
図１において、１は２つ扉の開閉に成る比較的小型の保管庫で、これは左右の扉板２，２と蝶番３，３から成るものである。
【００１０】
図２において、４は２枚の扉と２つの蝶番による開閉に成る比較的大型の保管庫で、これは左右２枚宛の扉板５，５，６，６と蝶番７，７，７，７から成るものである。
【００１１】
図示していないが、図１と図２に示した２つの実施例とは別に、この中間の大きさに成る中型の保管庫もあるが、この保管庫は左側は１つの扉板と蝶番、右側は２つの扉板と蝶番から成る。
【００１２】
８は前記保管庫１，４の正面上側板で、この正面上側板には排気口９を設け、この内部には換気ファン１０を設置する。この換気ファン１０に隣接してサーモスタット１１を設けるとともに、スイッチ１２及びパイロットランプ１３を設置する。
【００１３】
前記サーモスタット１１が庫内保管温度の基準である１５℃以上になった時に、スイッチ１２が自動的に作動し、これによって換気ファン１０を始動し、パイロットランプ１３を点灯する。
【００１４】
１４は前記扉板２，５，６の下側部に設けた外気の吸気口である。
【００１５】
【発明の効果】
本発明はこのような構成及び作用によって、専ら穀物保管庫の内部に蓄積されている米袋等を、庫内の空気と外気との循環により空気の停滞を防止して保管するものであるから、気密性の高い保管庫であっても、外気の寒暖温度差に依って起こり易い庫内部の結露の発生を未然に防止することができるようになる。
【００１６】
また、同時に保管庫内部の湿度も一定に維持することができるようになる。
【図面の簡単な説明】
【図１】一保管庫例の正面図
【図２】他保管庫例の正面図
【図３】図２Ａ−Ａ線の断面図
【図４】一保管庫例の電気回路図
【図５】他保管庫例の電気回路図
【図６】本発明のフローチャート
【符号の説明】
１，４　　　　　　保管庫
９　　　　　　　　排気口
１０　　　　　　　換気ファン
１１　　　　　　　サーモスタット
１２　　　　　　　スイッチ
１３　　　　　　　パイロットランプ
１４　　　　　　　吸気口
【図１】
2004065061.tif 000003
【図２】
2004065061.tif 000004
【図３】
2004065061.tif 000005
【図４】
2004065061.tif 000006
【図５】
2004065061.tif 000007
【図６】
2004065061.tif 000008
(57)【要約】【課題】菓子類の原料として、新しい食材となる加工海苔を提供すること。【解決手段】５％以上の水分を含む板海苔を、急速に乾燥し、板海苔に波状形状を形成した加工海苔、および５％以上の水分を含む板海苔を乾燥処理し、加工海苔を製造するにあたりこの乾燥処理を、乾燥速度が毎秒３％以上になるような条件下で行なう加工海苔の製造方法。【選択図】　　　　図１
2004065006.tif 000002
【特許請求の範囲】
【請求項１】
５％以上の水分を含む板海苔を、急速に乾燥し、板海苔に波状形状を形成したことを特徴とする加工海苔。
【請求項２】
５％以上の水分を含む板海苔を乾燥処理し、加工海苔を製造するにあたり、この乾燥処理を、乾燥速度が毎秒３％以上になるような条件下で行なうことを特徴とする加工海苔の製造方法。
【発明の詳細な説明】
【０００１】
【発明の属する技術分野】
本発明は、加工海苔およびその製造方法、特に菓子原料に適する加工海苔およびその製造方法に関する。
【０００２】
【従来の技術】
一般に、焼海苔は、海苔を板状に抄製乾燥後、再度乾燥（火入れ）を行なって海苔の水分を５％以下に調整し、この板海苔を、通常４ｍ程度の炉の中を数秒間通過させて焙焼し、製造している。この焼海苔は、縮みや波をうたないフラットなものである。また、味付海苔は焼海苔を調味液を含んだローラー間を通すことで海苔表面に味付を行ない、調味液の水分が海苔内部に浸透しないうちに乾燥させることで縮みを発生しないように製造している。本明細書では、この焼海苔、味付海苔等を加工海苔と称する。
【０００３】
【発明が解決しようとする課題】
板海苔からフラットな味付海苔を製造する場合、調味液を含んだローラーで味付けを行うことが基本的な工程になっているので、使用できる調味液の味や物性の範囲が限定されたものになる。
そこで、このフラットな板海苔を摘みやすい大きさに切断し、多様な味や物性をもつ調味液を用いて、ドラム等を使用して味付けをしようとすると、海苔がフラットなため葉体同士が付着し、攪拌時の分散や、その後の、均一な味付けもうまくいかず、最終的な乾燥も能率よく行なうことができない。
【０００４】
【課題を解決するための手段】
本発明者らは、板海苔を乾燥処理する際に、５％以上の水分を含む板海苔を１秒間に３％以上の速さで乾燥させると、板海苔が縮みや波をうつこと（以下、波状形状という）を見い出した。このように波打った板海苔は、適当な大きさに切断したのち、攪拌させながら味付けを行うとき、波打ちの程度が大きいほど板海苔片どうしの面付着が無くなり、板海苔片１枚ごとの味付け・乾燥をスムーズに行うことができる。
【０００５】
即ち、本発明は、５％以上の水分を含む板海苔を、急速に乾燥し、板海苔に波状形状を形成した加工海苔、および５％以上の水分を含む板海苔を乾燥処理し、この乾燥処理を、乾燥速度が３％以上になるような条件下で行なう加工海苔の製造方法である。
使用する板海苔は、どの産地のものでもよいが、とくに有明産のものが好ましい。
波状形状の大きさは、板海苔片を味付けする際に、それらが、互いに付着しない高さと巾があればよい。例えば、高さαが２〜５ｍｍ、巾βが２〜１０ｍｍである。
一般に味付海苔の調味料の場合、海苔の縮みを防ぐため、ブリックス（Ｂｒｉｘ）が６０前後で糖類を主原料としたものからなる。本発明の調味液は、Ｂｒｉｘ　６０にこだわることなく、すなわち糖類主体の原料でなく、味の調整を可能にするため、塩、醤油、味噌、マヨネーズ、バターをはじめとしてカレー粉、チーズ粉末、梅干粉末等の粉末までを用いることができる。
味付けの方法は、板海苔片を味付け材料とともにドラムに入れ、ドラムを回転させて行なう方法、ドラムを回転させながら調味液を吹き付ける方法がある。
【０００６】
【発明の実施の形態】
生産者（漁民）が板海苔を製造した時点で、板海苔の水分は５％以上、多くは８〜１０％程度である。この海苔を再度たとえば、７０で２時間緩やかに乾燥（火入れ）をして水分５％以下にし、販売あるいは加工海苔の原料としている。本発明は、火入れを行わず急速に乾燥処理するものであり、その条件は、１秒間に３％以上の水分を飛ばすことができる乾燥雰囲気中で行なう。例えば、１６０〜２５０℃、時間２〜４秒である。
水分５％以下の板海苔を用いても、波状形状を得ることはできない。
【０００７】
実験例１
水分が約１２％の板海苔（熊本産）、大きさ２１ｃｍ×１９ｃｍ、重さ３．０ｇのものを４切りにし、５段階の温度帯で乾燥速度と海苔の状態を調べた。その結果を表１に示す。
【表１】
2004065006.tif 000003
【０００８】
実験例２
水分が約９％の板海苔（兵庫産）、大きさ２１ｃｍ×１９ｃｍ、重さ３．２ｇのものを４切りにし、５段階の温度帯で乾燥速度と海苔の状態を調べた。その結果を表２に示す。
【表２】
2004065006.tif 000004
実験例１，２において、乾燥が終わった時点では、水分がほとんど０かそれに近い状態であった。この結果より海苔の乾燥速度が、１秒間に３％以上の場合、海苔の縮み及び／又は波状変形が確認された。
【０００９】
〔実施例１〕
図１に示すように、水分約９％の板海苔（佐賀産）、大きさ２１ｃｍ×１９ｃｍ、重さ３．１ｇのものを４ｃｍ角に切り、この板海苔片１を温度２００℃の焼機に３秒間通すことにより、高さα２〜６ｍｍ、巾β２〜１０ｍｍの波２を打った焼海苔を作ることができた。これをドラムに入れ植物油・食塩で味付けを行った。味付け工程において、焼海苔片が互いに付着し合うことなく、味付けを行なうことができた。また、この味付け海苔片にポテトチップスを混合したところ混合も均一に行われ、食品の素材として新たな使い方ができた。
【００１０】
【発明の効果】
板海苔に縮み及び／又は波たたせることにより、味付けの方法として、多様な方法を採用することができ、今までにない味付けの可能性が生じ、他の食材との混合も容易に行なうことができる。
本発明によれば、菓子類の原料として新しい食材が提供できる。
【図面の簡単な説明】
【図１】本発明によって得られた板海苔片の斜視図である。
【符号の説明】
１　板海苔片
２　縮み又は波形変形
【図１】
2004065006.tif 000005
(57)【要約】【課題】ロープを切断する恐れのない丈夫な金属製フロートを安価に提供すること。【解決手段】対向位置に一対の孔３，３を設けた金属製の中空の本体１と、一対の孔を通り本体を貫通する金属製の管体２とを備え、管体２は、両端部を拡径してその端縁部４を本体の孔周縁部外側面１３に当接して溶接してあり、且つ本体内部側から端縁部４にわたって連続的に湾曲する湾曲面を有していることを特徴とする。【選択図】　　　図１
2004065010.tif 000002
【特許請求の範囲】
【請求項１】
対向位置に一対の孔を設けた金属製の中空の本体と、一対の孔を通り本体を貫通する金属製の管体とを備え、管体は、両端部を拡径してその端縁部を本体の孔周縁部外側面に当接して溶接してあり、且つ本体内部側から端縁部にわたって連続的に湾曲する湾曲面を有していることを特徴とする金属製フロート。
【発明の詳細な説明】
【０００１】
【発明の属する技術分野】
本発明は、魚網のロープ等を通して水面に浮かべておく金属製のフロートに関する。
【０００２】
【従来の技術】
魚網等に用いられるフロートは、中空の本体にロープを通すための管体を貫通して設け、中に水が入らないように管体の両端部を本体に固着して一体化した構造となっている。そうしたフロートにあっては、管体の末端の角にロープが当って擦れ、ロープ切れが発生するという問題がある。特開２００１−６９８７３号に開示されたフロートは、ロープを保護するために管体の端部を滑らかな拡径状としているが、製作上の必要性から、管体の端部は拡径部分からさらに外側に階段状に延びており、その途中と末端の縁には角ができているので、波が静かな時はいいとしても、海が荒れた時にはそうした角にさえロープが当って擦れ、ロープが徐々に切断される恐れがあった。また、一般に樹脂製の中空フロートは破損しやすく短寿命であり、しかも特殊な成形装置が必要となるので設備が大掛かりにならざるを得ないため、コストダウンも容易ではなかった。
【０００３】
【発明が解決しようとする課題】
本発明は以上に述べたような実情に鑑み、ロープを切断する恐れのない丈夫な金属製フロートを安価に提供することを目的とする。
【０００４】
【課題を解決するための手段】
上記の課題を達成するために本発明の金属製フロートは、対向位置に一対の孔を設けた金属製の中空の本体と、一対の孔を通り本体を貫通する金属製の管体とを備え、管体は、両端部を拡径してその端縁部を本体の孔周縁部外側面に当接して溶接してあり、且つ本体内部側から端縁部にわたって連続的に湾曲する湾曲面を有していることを特徴とする。
【０００５】
【発明の実施の形態】
以下、本発明の実施の形態を図面に基づいて説明する。図１から図４は本発明の金属製フロートの一実施形態を示している。このフロートは、図３と図４に示すように、略球形となった中空の本体１の対向位置二箇所に孔３を空けて管体２を貫通させ、管体２の両端部を本体１に溶接したものである。本体１と管体２との溶接部分を拡大して示したのが図１であり、管体２は両端部を拡径してその端縁部４を略平面状に形成し、端縁部４を本体の孔周縁部外側面１３に当接し、端縁部４の周囲全周を本体１に溶接してある。図中の１１は溶接部を示す。また管体２は、本体内部側から端縁部４にわたって連続的に湾曲する湾曲面６を有している。このように形成したことで、管体に挿通したロープ７は湾曲面６に当るため、ロープ７を傷める心配がない。
【０００６】
管体２は、もともとは全長にわたって径が一定のアルミ製の単なるパイプであり、これを図５に示すように、本体１に貫通させた状態で、管体２の両端部に拡径治具８を差し込んでプレスすることにより、管体２の両端部を拡径して湾曲面６と端縁部４を形成し、同時に端縁部４を本体の孔周縁部外側面１３に当接させるものである。
【０００７】
なお本体１は、腕状の二つの分割体９ａ，９ｂからなっている。一方の分割体９ａの開口縁部には、図２に示すように、他方の分割体９ｂの開口縁部が嵌まり込む嵌合部１０を有しており、嵌合部１０の先端部と他方の分割体９ｂの外側面とを全周溶接して一体化している。図中の１２は溶接部を示す。分割体９ａ，９ｂは、アルミ合金の厚さ２ミリの板をプレス加工して形成している。このように本体１を二つの分割体９ａ，９ｂにより構成することで、本体１の製作が容易となり、先に述べた方法によって管体の両端部の拡径を行うことと相まって製作工程が簡略化され、コストダウンが図られる。さらに、一方の分割体９ａの開口縁部に嵌合部１０を設け、他方の分割体９ｂの開口縁部を嵌合部１０に嵌め込んで溶接したことで、分割体同士の接合部分が外部にほとんど出っ張らないため、本フロートを地上で引きずった時でも抵抗が少なく、磨耗による損傷も防止できる。
【０００８】
本発明の金属製フロートは、以上に述べた実施形態に限定されない。本体は、球状に限らず円筒状等の他の形態であっても良いし、必ずしも二つ割りの分割体によって構成しなくても良い。材質は、加工の容易性や軽量性、耐食性などを考慮すればアルミ合金が適当であるが、鉄やステンレス、チタン合金等の他の金属を用いることもできる。
【０００９】
【発明の効果】
本発明の金属製フロートは、管体の両端部を拡径してその端縁部を本体の孔周縁部外側面に当接して溶接してあり、なお且つ管体は本体内部側から端縁部にわたって連続的に湾曲する湾曲面を有しているので、管体に挿通したロープは必ず管体の湾曲面に当り、角に当って擦れるということがないから、ロープ切れを確実に防止できる。また、管体の端縁部が本体から突出しないため、水に浮かべた時や地上を引きずった時の抵抗を小さくでき、且つ破損を防止することにも繋がる。さらに、本発明のフロートは金属製であるため、合成樹脂製のものより丈夫で耐用年数が長く、成形のための設備も合成樹脂の場合に比べて安上がりであるため、安価に提供することができ、また大きさや形の変更にも対処しやすい。
【図面の簡単な説明】
【図１】図３におけるＡ部詳細図である。
【図２】図３におけるＢ部詳細図である。
【図３】本発明の金属製フロートの縦断面図である。
【図４】本発明の金属製フロートの側面図である。
【図５】本発明の金属製フロートの製作過程を示す図である。
【符号の説明】
１　本体
２　管体
３　孔
４　端縁部
６　湾曲面
１３　孔周縁部外側面
【図１】
2004065010.tif 000003
【図２】
2004065010.tif 000004
【図３】
2004065010.tif 000005
【図４】
2004065010.tif 000006
【図５】
2004065010.tif 000007